(57)【要約】【課題】着脱可能でかつ虫の通過を確実に防止できるように防虫網を組み込んだフィルタを提供する。【解決手段】濾材１の周縁部１ａが嵌め込まれる枠材２の後面の開口２ｂを塞ぐ防虫網３を、その周縁のフレーム３ａが全周にわたって枠材２の後面の開口２ｂの周縁部の内側面とガスケット５を挟んで対向するように配し、枠材２の前面の開口２ａの周縁部に着脱可能に取り付けた押付機構４で、濾材１を介して防虫網３のフレーム３ａをガスケット５に押し付けることにより、防虫網３のフレーム３ａとガスケット５との間に隙間が生じないようにして虫の通過を確実に防止するとともに、濾材１や防虫網３を着脱可能に枠材２に組み込めるようにした。【選択図】図２
2016014500.tif 000002
【特許請求の範囲】
【請求項１】
シート状の濾材と、前記濾材の周縁部が嵌め込まれる枠材と、前記枠材の少なくとも一方の開口を塞ぐ防虫網とを備えたフィルタにおいて、
前記防虫網は周縁にフレームを有するものとし、前記枠材の内側面に枠材の周方向に延びる弾性部材を密着させ、前記防虫網のフレームを前記弾性部材に押し付ける押付機構を設けたことを特徴とするフィルタ。
【請求項２】
前記防虫網は、前記フレームが前記枠材の一方の開口の周縁部の内側面と前記弾性部材を挟んで対向するように配し、
前記押付機構は、前記枠材の他方の開口の周縁部に着脱可能に取り付けられ、前記濾材を介して前記防虫網のフレームを前記弾性部材に押し付けるものとしたことを特徴とする請求項１に記載のフィルタ。
【発明の詳細な説明】
【技術分野】
【０００１】
本発明は、防虫網を備えたフィルタに関する。
【背景技術】
【０００２】
空気清浄装置は、一般に、シート状の濾材を組み込んだフィルタを、ダクト等の空気通路に設けられる取付枠に取り付け、そのフィルタに対して空気を通過させることにより、空気に含まれている異物をフィルタの濾材で捕捉して、空気を清浄化している。
【０００３】
例えば、無農薬で農作物の栽培を行うグリーンハウスでは、外気のハウス内への取入口に空気清浄装置を設置して、外気中の雑菌が付着した土埃や病害虫の侵入防止を図っていることが多い（例えば、特許文献１参照。）。
【先行技術文献】
【特許文献】
【０００４】
【特許文献１】特許第３６３１９５４号公報
【発明の概要】
【発明が解決しようとする課題】
【０００５】
しかし、上記のように外気の室内への取入口に空気清浄装置を設置している場合は、生きた虫がフィルタの枠材とその枠材に着脱可能に組み込まれている濾材との間を通ったり、濾材に捕捉された後に濾材内を移動したりして室内に侵入してしまうことがある。
【０００６】
これに対しては、フィルタの濾材の周縁部が嵌め込まれる枠材の少なくとも一方の開口を防虫網で塞ぐことが考えられる。ただし、その場合に、防虫網を交換して洗浄後に再使用できるように着脱可能に枠材に組み込むと、防虫網の周縁部を全周にわたって枠材と隙間なく密着させることが難しく、防虫網と枠材との隙間を虫が通過してしまうおそれがある。一方、虫の通過を確実に防止できるように防虫網の周縁部を全周にわたって接着等によって枠材に固定すると、防虫網の再使用は困難になる。
【０００７】
そこで、本発明は、着脱可能でかつ虫の通過を確実に防止できるように防虫網を組み込んだフィルタを提供することを課題とする。
【課題を解決するための手段】
【０００８】
上記の課題を解決するために、本発明は、シート状の濾材と、前記濾材の周縁部が嵌め込まれる枠材と、前記枠材の少なくとも一方の開口を塞ぐ防虫網とを備えたフィルタにおいて、前記防虫網は周縁にフレームを有するものとし、前記枠材の内側面に枠材の周方向に延びる弾性部材を密着させ、前記防虫網のフレームを前記弾性部材に押し付ける押付機構を設けるようにした。
【０００９】
すなわち、枠材の内側面に密着させた弾性部材に防虫網の周縁のフレームを押付機構で押し付けることにより、防虫網のフレームと弾性部材との間に隙間が生じないようにして虫の通過を確実に防止するとともに、濾材や防虫網を着脱可能に枠材に組み込めるようにしたのである。
【００１０】
そして、その具体的な構成としては、例えば、前記防虫網を、前記フレームが前記枠材の一方の開口の周縁部の内側面と前記弾性部材を挟んで対向するように配し、前記押付機構は、前記枠材の他方の開口の周縁部に着脱可能に取り付けられ、前記濾材を介して前記防虫網のフレームを前記弾性部材に押し付けるものとすることができる。
【発明の効果】
【００１１】
本発明のフィルタは、上述したように、防虫網の周縁のフレームを枠材の内側面に密着させた弾性部材に押し付けるようにしたものであるから、防虫網のフレームと弾性部材との間の隙間をなくして虫の通過を確実に防止できるし、濾材や防虫網を着脱可能に枠材に組み込んで、交換、再使用が容易に行えるようにすることもできる。
【図面の簡単な説明】
【００１２】
【図１】実施形態のフィルタの分解斜視図
【図２】図１のフィルタの縦断面図
【図３】ａ、ｂは、それぞれ図１の押付機構の要部の斜視図
【図４】図１のフィルタの組立手順を説明する縦断面図
【発明を実施するための形態】
【００１３】
以下、図面に基づき本発明の実施形態を説明する。このフィルタは、図１および図２に示すように、矩形のシート状に形成された濾材１と、濾材１の周縁部１ａが着脱可能に嵌め込まれ、前面の開口２ａから後面の開口２ｂに（図２の左側から右側に）空気を通す矩形の枠材２と、枠材２の後面の開口２ｂを塞ぐ防虫網３と、枠材２の前面の開口２ａの周縁部に着脱可能に取り付けられる押付機構４とを備えている。
【００１４】
前記枠材２は、断面略Ｊ字状に形成され、前面の開口２ａが後面の開口２ｂよりも広くなっている。そして、後面の開口２ｂの周縁部の内側面に断面略Ｌ字状のガスケット取付部２ｃが設けられ、このガスケット取付部２ｃと後面の開口２ｂの周縁部とで形成される周溝２ｄの全周に、弾性部材としてのガスケット５の一部が嵌め込まれている。そのガスケット５は、枠材２内の周溝２ｄに嵌め込まれる厚肉部５ａと、厚肉部５ａから枠材２の後面の開口２ｂの周縁部に沿って中心側へ拡がる薄肉部５ｂとからなり、枠材２に密着する状態で接着されている。
【００１５】
前記防虫網３は、網の部分が化学繊維で形成され、周縁に金属製のフレーム３ａを有するもので、そのフレーム３ａが枠材２の後面の開口２ｂの周縁部の内側面とガスケット５の薄肉部５ｂを挟んで対向するように、ガスケット５の厚肉部５ａと薄肉部５ｂの段差に嵌まり込んでいる。なお、防虫網３としては全体が金属製のものを用いることもできる。
【００１６】
前記押付機構４は、枠材２の前面の開口２ａよりも若干大きく、断面略Ｌ字状に形成された矩形の蓋枠６を、その一辺に設けられた２つの固定取付部１１と、他の三辺に設けられた合計４つの可動取付部２１とによって、枠材２の前面の開口２ａの周縁部に着脱可能に取り付けられるものである。なお、蓋枠６の互いに対向する二辺の間には桟７を１本ずつ差し渡して、濾材１の中央部が枠材２の前面の開口２ａからはみ出さないようにしている。
【００１７】
ここで、前記固定取付部１１は、図２および図３（ａ）に示すように、蓋枠６の裏面側に矩形の板片１２をリベット接合したもので、その板片１２の先端部と蓋枠６の外周縁部との間に、枠材２の前面の開口２ａの周縁部が嵌め込まれる隙間が形成されている。
【００１８】
また、前記可動取付部２１は、図２および図３（ｂ）に示すように、蓋枠６の裏面側にリベット接合された案内部材２２と、案内部材２２に案内されて蓋枠６の内外方向に進退する可動部材２３と、可動部材２３と係合した状態で頭部を蓋枠６の内周縁から突出させたピン２４と、ピン２４を蓋枠６の外側へ突出させる方向に付勢するばね２５とからなり、その可動部材２３の先端部と蓋枠６の外周縁部との間に、枠材２の前面の開口２ａの周縁部が嵌め込まれる隙間が形成されている。そして、ピン２４の頭部をばね２５の弾力に抗して蓋枠６の内側へ引っ張ることにより、ピン２４と係合した可動部材２３が蓋枠６の内側へ後退して、押付機構４の枠材２への着脱が行えるようになっている。
【００１９】
このフィルタを組み立てる際には、図４に示すように、まず、枠材２の前面側から防虫網３を枠材２内のガスケット５の段差に嵌め込み、続いて濾材１を防虫網３に重ね、その周縁部１ａを枠材２のＪ字状断面内に嵌め込む。そして、押付機構４の固定取付部１１を枠材２の開口２ａ周縁部の一辺と係合させ、可動取付部２１のピン２４の頭部を引っ張って可動部材２３を後退させた状態で（図４の一点鎖線）、可動部材２３を枠材２の内部に押し込んだ後、ピン２４の頭部を離して、可動部材２３を前進させることにより、図２に示した組立状態とすることができる。また、濾材１や防虫網３を交換する際には、組立時と逆に、押付機構４の可動取付部２１のピン２４を引っ張って押付機構４を枠材２から取り外した後、濾材１と防虫網３を順に枠材２の前面側から取り出せばよい。
【００２０】
そして、図２に示した組立状態では、押付機構４の断面略Ｌ字状の蓋枠６および各取付部１１、２１が、濾材１を介して防虫網３のフレーム３ａをガスケット５の薄肉部５ｂに押し付けている。これにより、枠材２の前面側から枠材２と濾材１との間を通ってきた虫や、濾材１に捕捉された後に濾材１内を移動してきた虫が防虫網３の位置まで達しても、防虫網３とガスケット５の間は通過できないようになっている。
【００２１】
このフィルタは、上記の構成であり、枠材２の前面の開口２ａの周縁部に着脱可能に取り付けた押付機構４によって、防虫網３の周縁のフレーム３ａを全周にわたって枠材２の内側面に密着させたガスケット５に押し付けるようにしたので、防虫網３のフレーム３ａとガスケット５との間の隙間をなくして虫の通過を確実に防止できるし、濾材１や防虫網３の交換、再使用も容易に行える。
【００２２】
なお、押付機構は、上述した実施形態のように枠材に着脱可能に取り付けられ、濾材を介して防虫網のフレームをガスケットに押し付けるものに限らず、枠材に固定されたものや、防虫網のフレームを直接ガスケット等の弾性部材に押し付けるものも、もちろん採用できる。また、防虫網は、実施形態では枠材の空気流出側となる後面の開口を塞ぐように配したが、枠材の空気流入側となる前面の開口を塞ぐようにしてもよいし、枠材の両方の開口を塞ぐようにしてもよい。
【符号の説明】
【００２３】
１  濾材
１ａ  周縁部
２  枠材
２ａ、２ｂ  開口
２ｃ  ガスケット取付部
２ｄ  周溝
３  防虫網
３ａ  フレーム
４  押付機構
５  ガスケット
５ａ  厚肉部
５ｂ  薄肉部
６  蓋枠
１１  固定取付部
２１  可動取付部
【図１】
2016014500.tif 000003
【図２】
2016014500.tif 000004
【図３】
2016014500.tif 000005
【図４】
2016014500.tif 000006